(57)【特許請求の範囲】
【請求項１】
送風装置と、前記送風装置により送り出された空気を加熱する加熱装置と、前記加熱装置の下流側に設けられ空気を加湿する加湿装置と、を備え、
前記加湿装置は、水を貯水する貯水部と、前記貯水部の上部に配置されて前記貯水部に貯水された水を吸い上げて噴霧する加湿部と、前記加湿部と連結される回転軸を有するモータとを備え、
前記加湿部は、第一の筒と、第二の筒と、前記第一の筒の下部開口と前記第二の筒の上部開口とを連結する連結筒とを有する回転体であり、前記第一の筒の直径は前記第二の筒より大きく、前記連結筒は、前記第一の筒と前記第二の筒とを連通するように傾斜面を有し、
前記加湿部は、前記モータの前記回転軸と連結する軸固定部を有し、前記回転体の中心に配置された中空軸と、前記回転体の内側に設けられ、前記第一の筒、前記第二の筒、および前記連結筒と、前記中空軸とを連結し、前記中空軸の軸方向に沿って延在しかつ前記中空軸の回転方向に複数設けられたリブとを備え、
前記第二の筒の底部には、前記貯水部の水を吸い上げる複数の吸い上げ穴が設けられ、前記第一の筒の周囲には、吸い上げられた水を外側へ噴霧する複数の噴霧穴が設けられ、
前記加湿部において、前記第一の筒と、前記第二の筒と、前記連結筒と、前記中空軸と、前記複数のリブとが一体成形されていることを特徴とするミストサウナ装置。
【請求項２】
前記第二の筒の前記底部は円盤形状を有し、前記複数の吸い上げ穴は、前記中空軸の周囲に環状に配置され、隣接する吸い上げ穴の間を区切るように前記リブが上方に向かって延在していることを特徴とする請求項１に記載のミストサウナ装置。
【請求項３】
前記リブの高さが前記第一の筒と前記連結筒と前記第二の筒とを有する前記加湿部の高さの半分以下であることを特徴とする請求項２に記載のミストサウナ装置。
【発明の詳細な説明】
【技術分野】
【０００１】
本発明はサウナ装置に関わり、特にミストサウナ装置に関するものである。
【背景技術】
【０００２】
従来技術の加湿装置の加湿部は、例えば、中国特許ＺＬ２０１１２０１０９０２７.６のように、主に加湿部本体及び加湿部駆動装置に連結する加湿部カバーという二部分に分けられている。図１に示すように、加湿部本体が水霧発生盤４２１とノズル５１から構成される。動力モータ４１１が加湿部駆動装置に相当する。水霧発生盤４２１と動力モータ４１１とを接続する伝動部４１３（加湿部カバーに相当）は、ねじにより連結される。水霧発生盤４２１とノズル５１と動力モータ４１１が高速で運転する場合、水霧発生盤４２１とノズル５１と動力モータ４１１が回転する時、それらの回転が互いにアンバランスとなり、振動が発生して、結合箇所の接続が不安定になる。
【０００３】
本発明に記載のサウナ装置は、浴室内の空気が循環送風装置によりサウナ装置内に吸込まれ、加熱装置により加熱されてから、加湿装置を通じて空気に水滴を付着させることにより、高温高湿の空気を形成するという作動原理である。
【発明の概要】
【０００４】
本発明は上記従来技術のような課題を解決するため、２つの回転体の回転のアンバランスによる振動の発生を低減させるミストサウナ装置の加湿部駆動装置を提供する。
【０００５】
上記目的を実現するために、本発明は、室内の空気を循環させる循環送風装置と、空気を加熱する加熱装置と、前記加熱装置の下流側に設けられ空気を加湿する加湿装置と、を備えるミストサウナ装置において、前記加湿装置は、下部に水を貯水する貯水部が設けられるとともに、上部に前記貯水部に貯水された水を吸い上げ噴霧する加湿部が設けられており、前記加湿部は、上部に開口を持つ第一の筒と下部に開口を持つ第二の筒から構成された回転体であり、前記第一の筒の直径は前記第二の筒より大きく、前記第一の筒と前記第二の筒は連通され、前記第一の筒と前記第二の筒は上部に向かい広がる傾斜を有した円錐形状とするものであり、前記第一の筒の表面全周に複数の穴が設けられ、前記加湿部には加湿部駆動装置に連結された軸固定部が一体成形されることを特徴とするミストサウナ装置を提供する。
【０００６】
前記軸固定部は、加湿部に一体成形された中空軸に設けられ、前記加湿部駆動装置との連結位置が前記第一の筒の上部の中心に位置する。
【０００７】
前記軸固定部は、前記第二の筒の底部に設けられ、前記加湿部駆動装置との連結位置が前記第二の筒の底部の中心に位置する。
【０００８】
前記加湿部の底部は、円盤形状に設置され、前記軸の外周と底部の円盤外周との間に複数の穴が設けられ、前記複数の穴が軸を中心にリング状に設置される。
【０００９】
前記複数の穴の両側にはリブが設けられ、前記第一の筒、第二の筒と軸は、複数の前記リブにより連結された。
【００１０】
前記リブの高さが第一の筒と第二の筒からなる加湿部の高さの半分以下である。
【００１１】
本発明の効果は、第一の筒、第二の筒と軸固定部の２つの回転体の回転のアンバランスによる振動の発生を低減させることができる。
【図面の簡単な説明】
【００１２】
【図１】図１は公知のミストサウナ装置の概略図
【図２Ａ】図２Ａは本発明の異なる角度から見た全体の立体概略図
【図２Ｂ】図２Ｂは本発明の異なる角度から見た全体の立体概略図
【図３】図３は本発明に係る第一実施例の加湿部の立体概略図の一
【図４】図４は本発明に係る第一実施例の加湿部の立体概略図の二
【図５】図５は本発明に係る第一実施例の加湿部の縦断面図
【図６Ａ】図６Ａは本発明に係る第一実施例の加湿部と加湿部駆動装置との連結の概略図
【図６Ｂ】図６Ｂは本発明に係る第一実施例の加湿部と加湿部駆動装置との連結の縦断面図
【図７】図７は本発明に係る第二実施例の加湿部と加湿部駆動装置との連結の縦断面図
【発明を実施するための形態】
【００１３】
図２Ａ、図２Ｂは本発明の異なる角度から見た全体の立体概略図である。図に示すように、本発明のミストサウナ装置１０は、室内の空気を循環させる循環送風装置１１である遠心送風機と、空気を加熱する加熱装置１２であるＰＣＴヒーターと、前記加熱装置１２の空気を循環させる流れに対して下流側に設けられ空気を加湿する加湿装置２０と、を備える。加湿装置２０は、下部に水を貯水する貯水部２１が設けられるとともに、上部に前記貯水部２１に貯水された水を吸い上げ噴霧する加湿部２２が設けられる。前記加湿部２２は、上部に開口３１を持つ第一の筒３０と下部に開口（図に示せず）を持つ第二の筒４０から構成された回転体であり、第一の筒３０の直径は第二の筒４０より大きい。第一の筒３０と第二の筒４０は内部で連通されるものであり、上部に向かい外方へ広がる傾斜を有した略円錐形状とする。
【００１４】
図３、図４は本発明に係る第一実施例の加湿部の立体概略図である、図５は本発明に係る第一実施例の加湿部の縦断面図である、図６Ａは本発明に係る第一実施例の加湿部と加湿部駆動装置との連結の概略図である、図６Ｂは本発明に係る第一実施例の加湿部と加湿部駆動装置との連結の縦断面図である。図に示すように、第一の筒３０と第二の筒４０は傾斜斜面が設けられた連結部５０により連結される。前記加湿部２２に中空の軸６０が一体に成形される。前記軸６０に加湿部駆動装置７０であるＤＣモータに連結された軸固定部６１が設けられる。前記軸固定部６１は、前記加湿部駆動装置７０の回転軸８０に連結される位置が、第一の筒３０の上部の中心に位置する。加湿部駆動装置７０の回転軸８０に突出部８０１が設けられる。前記軸固定部６１は、前記軸６０に設けられる係止凹部６１１と、前記係止凹部６１１から下向きに延設する延長部６１２と、を含む。連結を行う場合、まず、前記回転軸８０の突出部８０１を前記係止凹部６１１に係合して、次は、工具で第二の筒４０の底部４４から軸６０を貫通して、前記延長部６１２の下端にナット６３をねじることにより、加湿部駆動装置７０と加湿部２２とは確実に連結されることになる。
【００１５】
加湿部駆動装置７０の回転軸８０の振動は回転軸８０の長さが長いほど激しくなるため、加湿部駆動装置７０と加湿部２２とを接続するための軸固定部６１が加湿部２２の上部に設けられることにより、回転軸８０を短く設置でき、加湿部駆動装置７０の回転時の振動が加湿部２２に伝わりにくくなる。
【００１６】
前記加湿部２２の底部４４は円盤形状に設置される。前記軸６０の外周と底部４４の円盤外周との間に複数の穴４２が設けられ、前記複数の穴４２が軸６０を中心にリング状に設置される。
【００１７】
ミストサウナ装置１０が作動する場合、循環送風装置１１である遠心送風機により、室内の空気が加熱装置１２であるＰＴＣヒーターに接触して加熱され、空気内の水分含量すなわち飽和水蒸気量を増加させ、高速で自転する加湿装置２０により、多くの加湿量を得る。そして、加湿装置２０の作動方式は次の通りである。加湿部２２が軸６０により高速で自転する場合、加湿部２２の下部に設けられた貯水部２１に貯水された水は、第二の筒４０の内のリブ４３からの押し進めを受けるので、加湿部２２下部における、径が小さいので貯水部２１の貯水に対する回転抵抗が少ない第二の筒４０の上部に向かい傾斜した内壁面に沿って吸い上げられることが容易にできる。それから、内部で連通した上部の第一の筒３０の内壁面に送水する。第一の筒３０には内部と外部とを連通する穴３２が設けられる。前記穴３２により微細な水滴が生じ、外へ噴霧することとなる。一方、微細な水滴とされなかった水滴はミストサウナ装置１０の風路の内壁面に付着し、重力の作用により風路の内壁面に沿って下側へ流れ、最後に、加湿装置２０の下部に設けられる貯水部２１に導かれて流れ、再び第二の筒４０より吸い上げられることが可能である。
【００１８】
前記複数の穴４２の両側にはリブ４３が設けられ、前記第一の筒３０、第二の筒４０と中空の軸６０とは、複数の前記リブ４３により連結される。リブ４３の固定作用により、強固な加湿部２２を形成することができる。本発明の提供するミストサウナ装置において、加湿部駆動装置７０により高速で回転する加湿部２２は、回転による外周側に作用する遠心力を受けるが、加湿部の軸６０と外周とがリブ４３で連結されることにより、遠心力による加湿部を変形させる力がリブ４３により吸収されることができるようになる。加湿部２２が変形しにくくなり、安定な加湿力を得る。
【００１９】
加湿部２２の第一の筒３０、第二の筒４０と軸６０とを連結するリブ４３の高さは、第一の筒３０と第二の筒４０からなる加湿部２２の高さの半分以下である。回転運動により貯水部２１から吸い上げられた水は、加湿部２２底面の穴４２を通してリブ４３とリブ４３との間の、リブ４３と軸６０により区切られた複数の区画に上昇することとなるが、区画が小さいため、上昇する場合、水膜状態を形成せずに回転して上昇することになる。リブ４３の高さが加湿部２２の高さの半分以下であるので、リブ４３より上方に上昇した回転の加湿部２２の内壁の水は、水膜状態で第一の筒３０の上方に分布しており、加湿部２２内壁全体を旋回しながら上昇し、加湿部２２の穴３２から外部へ噴射することになる。穴３２から外部へ噴射する水滴が微細で蒸発しやすくなり、加湿量が多い。
【００２０】
図６は本発明に係る第二実施例の加湿装置の縦断面図である。図に示すように、加湿部駆動装置７０に中実軸の回転軸８０が設けられ、加湿部２２に一体成形された軸固定部２５は第二の筒４０の底部４４の中心に位置する。軸固定部２５は加湿部駆動装置７０の回転軸８０に連結するとともに、第二の筒４０の底部４４の中心に係合する。加湿部駆動装置７０の回転軸８０に突出部８０１’が設けられ、前記軸固定部６１が前記第二の筒４０に設けられる凸リブ６１３である。連結する場合、まず、前記回転軸８０の突出部８０１’を前記凸リブ６１３の間に係合して、次は、第二の筒４０の底部４４の下端にナット６３’をねじる。このように加湿部駆動装置７０と加湿部２２は確実に連結されることになる。
【００２１】
加湿部２２は加湿部駆動手段７０に連結された軸固定部６１が設けられる一体成形の構成であるため、部品の組み合わせによる回転バランスの崩れを抑制でき、高速で回転しても大きな振動が生じない。
【図１】
0005956072.tif 000002
【図２Ａ】
0005956072.tif 000003
【図２Ｂ】
0005956072.tif 000004
【図３】
0005956072.tif 000005
【図４】
0005956072.tif 000006
【図５】
0005956072.tif 000007
【図６Ａ】
0005956072.tif 000008
【図６Ｂ】
0005956072.tif 000009
【図７】
0005956072.tif 000010